(57)【要約】【課題】アップライトピアノの底面と背面が為す角度の誤差に関らず安定して所期の状態に組み付けることが出来て、有効な転倒防止効果を発揮し得る鍵盤楽器用の転倒防止装置を提供すること。【解決手段】底板部１２を有しており、底板部１２に竪型鍵盤楽器１８が載置されるようになっていると共に、底板部１２から上方に突出する第一竪板部１４が設けられており、第一竪板部１４が底板部１２に載置される竪型鍵盤楽器１８の後面に固定されるようになっている一方、第一竪板部１４の下端部には、第一竪板部１４に固定される竪型鍵盤楽器１８の後面よりも後方に突出するように曲げられた取付角度対応機能部２２が設けられている。【選択図】図８
2007298845.tif 000002
【特許請求の範囲】
【請求項１】
底板部を有しており、該底板部に竪型鍵盤楽器が載置されるようになっていると共に、該底板部から上方に突出する第一竪板部が設けられて、該第一竪板部が該底板部に載置される竪型鍵盤楽器の後面に固定されるようになっており、更に、該第一竪板部の下端部には、該第一竪板部に固定される竪型鍵盤楽器の後面よりも後方に突出するように曲げられた取付角度対応機能部が設けられていることを特徴とする竪型鍵盤楽器用転倒防止装置。
【請求項２】
前記底板部と前記第一竪板部が単一の金属板によって一体形成されている請求項１に記載の竪型鍵盤楽器用転倒防止装置。
【請求項３】
前記底板部の前端が該底板部に載置される竪型鍵盤楽器における接地部の前端よりも前方に突出するようになっている請求項１又は２に記載の竪型鍵盤楽器用転倒防止装置。
【請求項４】
前記底板部の後端が該底板部に載置される竪型鍵盤楽器における接地部の後端よりも後方に突出するようになっている請求項１乃至３の何れか一項に記載の竪型鍵盤楽器用転倒防止装置。
【請求項５】
前記第一竪板部が前記底板部の後端から上方に突出せしめられている請求項１乃至４の何れか一項に記載の竪型鍵盤楽器用転倒防止装置。
【請求項６】
前記第一竪板部と独立形成されて該第一竪板部と並立するようにして前記底板部から上方に突出せしめられる第二竪板部を有しており、該第二竪板部が竪型鍵盤楽器の後面に固定されるようになっている請求項１乃至５の何れか一項に記載の竪型鍵盤楽器用転倒防止装置。
【請求項７】
前記第二竪板部が前記底板部に載置される竪型鍵盤楽器の幅方向で前記第一竪板部よりも中央側に位置するようになっている請求項６に記載の竪型鍵盤楽器用転倒防止装置。
【請求項８】
前記第二竪板部と前記底板部が単一の金属板によって一体形成されている請求項６又は７に記載の竪型鍵盤楽器用転倒防止装置。
【請求項９】
前記第二竪板部の突出高さ寸法が前記第一竪板部の突出高さ寸法に比して小さくされている請求項６乃至８の何れか一項に記載の竪型鍵盤楽器用転倒防止装置。
【請求項１０】
前記第二竪板部の後面には、接地面の高さを調整できる接地部材を備えた調整型接地機構が設けられている請求項６乃至９の何れか一項に記載の竪型鍵盤楽器用転倒防止装置。
【請求項１１】
前記第１乃至第１０の何れか一項に記載の竪型鍵盤楽器用転倒防止装置の一対を用いて、それら一対の竪型鍵盤楽器用転倒防止装置を竪型鍵盤楽器に対して左右独立にセットして、各該竪型鍵盤楽器用転倒防止装置における前記第一竪板部を該竪型鍵盤楽器の背面に固定したことを特徴とする竪型鍵盤楽器の設置構造。
【発明の詳細な説明】
【技術分野】
【０００１】
本発明は、例えば、ピアノやオルガン等の鍵盤楽器の転倒を防止するための装置に係り、特に、アップライトピアノ等の竪型鍵盤楽器に好適に採用される転倒防止装置とそれを用いた竪型鍵盤楽器の設置構造に関するものである。
【背景技術】
【０００２】
従来から、鍵盤楽器の一種として、アップライトピアノ等の竪型鍵盤楽器が知られている。また、一般的に、竪型鍵盤楽器は、グランドピアノ等の平型鍵盤楽器に比して安定性が低く、地震の発生時等において転倒を生じ易いことが問題となっている。蓋し、竪型鍵盤楽器では、重量が大きい打弦機構などの発音機構が後方の箱状部分内における高い位置に収容配置されており、重心位置が高いことから転倒が生じ易い。更に、重心が後方に偏倚せしめられていることに加えて、脚部の接地点間距離が前後方向で小さいことから、前後方向で転倒し易い。特に、奏者側であると共に、一般家庭で居室に設置される際に居住空間である前方へのピアノの倒れ込みは、その危険性から有効な対策が求められている。
【０００３】
そこで、従来から、アップライトピアノの転倒を防止するための装置が提案されている。
具体的には、例えば、以下（１），（２）のタイプが提案されている。
（１）特許文献１（特開平９−１５２０９２号公報）に示されているように、ピアノの背面を、ピアノの背面側に位置する家屋の柱や壁面に対して直接固定するタイプ。
（２）特許文献２（実用新案登録３０２４２２９号公報）に示されているように、ピアノの背面に支持脚を付加的に取り付けるタイプ。
【０００４】
ところが、これら従来構造の転倒防止装置には、未だ解決すべき問題点があった。即ち、特許文献１に示されている転倒防止装置では、家屋に対して転倒防止装置をねじ止め等することから、家屋の内装に対する悪影響を避けることが難しく、柱や壁面等の構造や材料等の条件およびピアノの設置位置等によっては使用することが困難な場合が多い。しかも、柱や根太等の位置を捜してねじ固定する作業自体が非常に面倒で難しく、施工状態によっては目的とする効果を安定して得難いという問題があった。加えて、ピアノを廃棄したり移動させたりすると、家屋の壁面にねじ穴等の取付跡が残ってしまうという問題もある。
【０００５】
また、特許文献２に示された転倒防止装置では、ピアノの背面に支持脚を固設することによりピアノの後方への転倒防止を図ることが可能であるが、危険性の高い前方への転倒については何等の配慮も為されておらず、安全性の充分な確保には未だ至っていない。しかも、特許文献２に記載の転倒防止装置においては、ピアノの背面から後方に大きく突出するように支持脚が装着されることから、一般家庭の居室等での使用にはスペース上の理由から適さないことに加えて、楽器としてのみならず装飾的な意味合いをも有するピアノの外観を著しく損ねる結果となり、ユーザーが満足できるものでなかったのである。
【０００６】
なお、特許文献３（特開平８−２４１０７１号公報）には、相互に略直交するように配された底板と側板を有する座椅子形状のピアノ設置板が提案されている。このピアノ設置板では、側板をアップライトピアノの背面（後面）に重ね合わせてねじ止め固定することにより、アップライトピアノの転倒を防止するようになっている。
【０００７】
しかしながら、かかる特許文献３に記載のピアノ設置板では、ピアノ底面全体をカバーする大きな底板の長辺に側板が垂直に固着されてなる極めて大型で大重量の部品であるから、取扱いが面倒で見栄えが悪い。しかも、高い剛性を有する底板と側板が互いに直交するように固定されており、側板の底板に対する角度調整が許容され得ないことから、側板をアップライトピアノの背面に対して密着させて固定することが出来ないという問題がある。
【０００８】
蓋し、アップライトピアノは、その重心位置や重量配分等の関係を考慮した設計上の理由から、或いはピアノ本体を構成する木材の個体差や湿度や温度等の周辺環境による影響などの理由から、ピアノの設置面と背面が必ずしも直角を為していないという特徴がある。それ故、特許文献３に記載の如き、底板と側板を直角に固定した従来構造のピアノ設置板では、側板をピアノの背面に密着させることが、現実的に不可能となるのである。
【０００９】
このように、特許文献３に記載の如きピアノ設置板では、その装着状態下、側板とピアノの背面の間における隙間の存在が避けられないことから、ピアノに対する固着力ひいては安定性が充分に安定して発揮され難いという問題があると共に、側板とピアノ背面の間の隙間によって、設置されたピアノ本来の美しい外観を大きく損ねるという問題もあったのである。
【００１０】
【特許文献１】特開平９−１５２０９２号公報
【特許文献２】実用新案登録３０２４２２９号公報
【特許文献３】特開平８−２４１０７１号公報
【発明の開示】
【発明が解決しようとする課題】
【００１１】
ここにおいて、本発明は、上述の如き事情を背景として為されたものであって、その解決課題とするところは、竪型鍵盤楽器の底面と背面が為す角度の誤差等といった竪型鍵盤楽器の個体差に関らず、安定して所期の状態に組み付けることが出来て、有効な転倒防止効果を発揮し得る、美観にも優れた鍵盤楽器用の転倒防止装置を提供することにある。
【課題を解決するための手段】
【００１２】
以下、このような課題を解決するために為された本発明の態様を記載する。なお、以下に記載の各態様において採用される構成要素は、可能な限り任意な組み合わせで採用可能である。また、本発明の態様乃至は技術的特徴は、以下に記載のものに限定されることなく、明細書全体および図面に記載されたもの、或いはそれらの記載から当業者が把握することの出来る発明思想に基づいて認識されるものであることが理解されるべきである。
【００１３】
すなわち、本発明に係る竪型鍵盤楽器用転倒防止装置が特徴とするところは、底板部を有しており、該底板部に竪型鍵盤楽器が載置されるようになっていると共に、該底板部から上方に突出する第一竪板部が設けられて、該第一竪板部が該底板部に載置される竪型鍵盤楽器の後面に固定されるようになっており、更に、該第一竪板部の下端部には、該第一竪板部に固定される竪型鍵盤楽器の後面よりも後方に突出するように曲げられた取付角度対応機能部が設けられていることにある。
【００１４】
このような本発明に従う構造とされた竪型鍵盤楽器用転倒防止装置においては、相互に接続された底板部と第一竪板部を有しており、底板部上にアップライトピアノ等の竪型鍵盤楽器を載置すると共に、竪型鍵盤楽器の後面に対して第一竪板部をボルト等で固定することにより、転倒防止対象物である竪型鍵盤楽器に対して装着され得る。これにより、竪型鍵盤楽器の接地面積を有利に確保して、前後方向での安定性を向上せしめて転倒を有利に防ぐことが出来る。それ故、危険性の高い前方への転倒を含むピアノ等の転倒を効果的に防止することが可能となるのである。
【００１５】
特に、第一竪板部の基端部（底板部側の端部）が、第一竪板部に固定される竪型鍵盤楽器の後面よりも後方側に突出するように湾曲乃至は屈曲せしめられた取付角度対応機能部とされている。これによって、高い剛性を有する第一竪板部が、取付角度対応機能部において、第一竪板部の底板部に対する前後方向での傾斜角度が、装着対象となる竪型鍵盤楽器における底面（設置面）と背面との傾斜角度に対応し得る。
【００１６】
これにより、形状とくに底面（接地面）と背面との傾斜角度に関して比較的に大きな個体差を有する竪型鍵盤楽器においても、その接地点を底板部上に当接させた状態で竪型鍵盤楽器の背面に対して第一竪板部を密着させて固定することが出来る。従って、転倒防止装置の竪型鍵盤楽器への取付強度を充分に確保できて、転倒防止効果を有効に発揮せしめることが可能となると共に、第一竪板部の基端部を除く部分が竪型鍵盤楽器の背面に密着せしめられることによって、特に側面視での外観を整えることが出来て、室内装飾品としての一面を有するアップライトピアノの外観を損ねることなく、実用的な転倒の防止手段を実現することが出来る。
【００１７】
さらに、竪型鍵盤楽器の背面は、家屋の壁面と対向せしめられている場合が多く、特にアップライトピアノでは、背面から音が発せられることから、発音部位であるピアノ背面と家屋の壁面との間に隙間が設けられている必要がある。そこにおいて、本発明に係る転倒防止装置は、アップライトピアノの背面に第一竪板部を固着することによって装着されるようになっており、後方に突出する取付角度対応機能部が、アップライトピアノの後面と家屋の壁面との間に形成される隙間を巧く利用して配設されるようになっている。従って、転倒防止装置をスペース効率良く装着することが出来て、家屋の室内空間を有利に確保することが出来る。
【００１８】
なお、ここでいう上方とは、平板形状とされた底板部を水平面上に載置した状態下における鉛直上方を示しており、底板部の厚さ方向一方の側を言う。
【００１９】
さらに、本発明に係る竪型鍵盤楽器用転倒防止装置においては、前記底板部と前記第一竪板部が単一の金属板によって一体形成されている構造が、好適に採用される。
【００２０】
このような本態様に従う構造とされた竪型鍵盤楽器用転倒防止装置によれば、単一の金属板を用いて底板部と第一竪板部を一体形成することにより、底板部と第一竪板部の境界部分において強度が他の部分に比して低くなるのをより有利に回避することが出来る。それ故、転倒防止装置において優れた耐荷重性を実現することが出来て、アップライトピアノ等の大きな質量を有する竪型鍵盤楽器に対しても、充分なる信頼性をもって転倒防止効果を発揮し得る。
【００２１】
また、単一の金属板を用いて底板部と第一竪板部を一体形成することから、例えば、プレス加工等によって容易に本発明に係る転倒防止装置を形成することが可能となる。それ故、生産性の向上等を有利に実現することが出来る。
【００２２】
また、本発明に係る竪型鍵盤楽器用転倒防止装置においては、前記底板部の前端が該底板部に載置される竪型鍵盤楽器における接地部の前端よりも前方に突出するようになっている構造が、好適に採用される。
【００２３】
このような構造を採用することにより、竪型鍵盤楽器に対して前方への転倒の原因となるモーメントが及ぼされた場合には、底板部において竪型鍵盤楽器の脚部（キャスタ等の接地部）の前端よりも前方に突出せしめられた部分によって、モーメントに対する抗力を有利に得ることが出来て、竪型鍵盤楽器の転倒を有利に防ぐことが可能となる。
【００２４】
さらに、本発明に係る竪型鍵盤楽器用転倒防止装置においては、前記底板部の後端が該底板部に載置される竪型鍵盤楽器における接地部の後端よりも後方に突出するようになっている構造が、好適に採用される。
【００２５】
これによれば、底板部の後端が竪型鍵盤楽器の後端よりも後方に突出せしめられていることにより、竪型鍵盤楽器に対して後方への転倒の原因となるモーメントが生じた場合に、底板部における後方への突出部分によって、モーメントに対する抗力を有利に得ることが出来て、竪型鍵盤楽器の転倒を防止することが出来る。
【００２６】
更にまた、本発明に係る竪型鍵盤楽器用転倒防止装置においては、前記第一竪板部が前記底板部の後端から上方に突出せしめられていることが、望ましい。
【００２７】
また、本発明に係る竪型鍵盤楽器用転倒防止装置においては、前記第一竪板部と独立形成されて該第一竪板部と並立するようにして前記底板部から上方に突出せしめられる第二竪板部を有しており、該第二竪板部が竪型鍵盤楽器の後面に固定されるようになっている構造が、好適に採用される。
【００２８】
これによれば、第二竪板部によって竪型鍵盤楽器に対する転倒防止装置の取付力をより有利に得ることが可能となって、耐荷重性能の向上を図ることが出来る。更に、第二竪板部を底板部の後端から上方に向かって直接的に延び出させることにより、第一竪板部に比して高い剛性を確保することが出来る。それ故、第一竪板部との協働によって、より安定した転倒防止効果を実現することが可能となる。
【００２９】
なお、第一竪板部と第二竪板部が独立形成されるとは、第一竪板部と第二竪板部が底板部を介して連結されている一方で、それら第一竪板部と第二竪板部が直接には連結されておらず、相互に離隔して形成されていることを示している。これにより、応力的には第一竪板部と第二竪板部を互いに別体と見なすことが可能であり、それら第一竪板部と第二竪板部に相互に異なる剛性を付与することが可能となっている。
【００３０】
さらに、本発明に係る竪型鍵盤楽器用転倒防止装置においては、前記第二竪板部が前記底板部に載置される竪型鍵盤楽器の幅方向で前記第一竪板部よりも中央側に位置するようになっている構造が、好適に採用される。
【００３１】
このような構造を採用することにより、アップライトピアノ等の竪型鍵盤楽器の幅方向両端を高さ方向（上下）に延びる支柱に対して第一竪板部を固定すると共に、竪型鍵盤楽器の下端部を幅方向（左右）に延びる土台に対して固定することにより、竪型鍵盤楽器の幅方向両端部に有利に装着することが出来る。
【００３２】
さらに、本発明に係る竪型鍵盤楽器用転倒防止装置においては、前記第二竪板部と前記底板部が単一の金属板によって一体形成されていることが、望ましい。
【００３３】
これによれば、底板部と第二竪板部との境界部分において強度の低下が生じるのを防ぐことが出来て、優れた耐荷重性を実現可能となり、アップライトピアノ等の大きな質量を有する竪型鍵盤楽器に対しても、高い信頼性をもって所期の転倒防止効果を発揮し得る。また、単一の金属板で底板部と一体的に形成することにより、プレス加工等によって容易に製造することが出来る。
【００３４】
さらに、本発明に係る竪型鍵盤楽器用転倒防止装置においては、前記第二竪板部の突出高さ寸法が前記第一竪板部の突出高さ寸法に比して小さくされていることが、望ましい。
【００３５】
これによれば、底板部に対して相対的に傾斜することなく固定的に設けられた第二竪板部の突出高さを低く設定することにより、ピアノの底面と後面が為す角の誤差に基づく竪型鍵盤楽器の背面と第二竪板部との離隔を、充分に小さくすることが出来る。それ故、高剛性の第二竪板部を竪型鍵盤楽器の背面に対して有利に密着せしめて固定することが出来て、所期の転倒防止効果を安定して得ることが出来る。一方、第二竪板部よりも突出高さ寸法が大きく設定される第一竪板部は、下端部に形成される取付角度対応機能部によって傾斜角度の調節が可能とされており、誤差によって竪型鍵盤楽器の背面からの離隔距離が比較的大きくなる場合にも、安定して所期の取付状態を実現することが出来る。
【００３６】
なお、このような構造は、第二竪板部が竪型鍵盤楽器の幅方向で第一竪板部よりも中央側に位置するようにされた構造と組み合わせて採用することにより、特に有利な効果を得ることが可能となり得る。即ち、かかる構造の組合せを採用することにより、第一竪板部を、竪型鍵盤楽器の幅方向両端を高さ方向（上下）に延びる支柱に固定すると共に、第一竪板部に比して突出高さ寸法が小さく設定される第二竪板部を、竪型鍵盤楽器の下端部を幅方向（左右）に延びる土台に固定することが出来る。それ故、突出高さ寸法が比較的大きく設定される第一竪板部を、高さ方向を長手方向として延びる支柱に固定することで、突出高さ寸法に関らず有利に取り付けることが出来る一方、突出高さ寸法が比較的に小さく設定される第二竪板部は、幅方向を長手方向として延びる土台に固定することで、幅方向での取付位置に関らず有利に固定することが出来るのである。
【００３７】
更にまた、本発明に係る竪型鍵盤楽器用転倒防止装置においては、前記第二竪板部の後面には、接地面の高さを調整できる接地部材を備えた調整型接地機構が設けられていることが、望ましい。
【００３８】
これによれば、底板部の凹凸や歪み等や底板部が載置される床面の凹凸や歪み等によって、床面への設置状態でガタツキや傾斜が生じる場合において、調整型接地機構によって接地面の高さを調整することにより、かかるガタツキや傾きを防いで安定した設置状態を実現することが出来る。
【００３９】
また、本発明は、前記第１乃至第１０の何れか一項に記載の竪型鍵盤楽器用転倒防止装置の一対を用いて、それら一対の竪型鍵盤楽器用転倒防止装置を竪型鍵盤楽器に対して左右独立にセットして、各該竪型鍵盤楽器用転倒防止装置における前記第一竪板部を該竪型鍵盤楽器の背面に固定した竪型鍵盤楽器の設置構造も、特徴とする。
【００４０】
これによれば、本発明に係る竪型鍵盤楽器用転倒防止装置を用いて竪型鍵盤楽器の転倒を有効に防ぐことが可能となる。
【発明を実施するための最良の形態】
【００４１】
以下、本発明を更に具体的に明らかにするために、本発明の実施形態について、図面を参照しつつ、詳細に説明する。
【００４２】
先ず、図１〜図７には、本発明の一実施形態としてのアップライトピアノ用の転倒防止装置１０が示されている。転倒防止装置１０は、底板部１２と、底板部１２に対して直交して上方に延び出す第一竪板部１４および第二竪板部１６とを一体的に有している。なお、実施形態の説明において、特に説明がない限り、上下方向とは図１における上下方向を言うものとし、前後方向とは図３における左右方向を言うものとする。
【００４３】
より詳細には、底板部１２は、全体として略平板形状を呈しており、鉄や鋼，ステンレス、アルミニウム合金等を材料とする高剛性の金属板によって略一定の厚さ寸法で形成されている。また、底板部１２は、アップライトピアノ１８の設置位置の床面に対して略密着状態で配設されるようになっており、アップライトピアノ１８が底板部１２に載置されるようになっている。また、底板部１２は、その前後方向の寸法が幅方向（左右方向）の寸法よりも大きくされていると共に、アップライトピアノ１８の脚部の接地部を構成する前後二つのキャスタを同時に載せることが可能な前後方向の長さ寸法を有している。
【００４４】
さらに、底板部１２は、幅方向（図１中、左右方向）での寸法が前後方向中間部分で変化せしめられており、後方部分が前方部分に比して幅広となっている。これにより、底板部１２は全体として平面視で略Ｌ字形状を呈している。特に本実施形態では、転倒防止対象物であるアップライトピアノ１８の底面形状に合わせて底板部１２の平面形状が設定されており、アップライトピアノ１８の脚部であるキャスタが底板部１２に載置されるようになっていると共に、底板部１２がアップライトピアノ１８によって目立たないようになっている。また、底板部１２が平面視で略Ｌ字形状を呈していることにより、奏者が座る椅子の設置位置において底板部１２の厚さによる段差が生じるのを回避することが出来て、椅子のスムーズな前後方向への移動や安定した設置を実現できる。
【００４５】
また、底板部１２の幅方向一方の側の後端部には、上方に向かって突出する第一竪板部１４が設けられている。第一竪板部１４は、略一定の厚さ寸法を有する高剛性の金属板によって形成されていると共に、底板部１２の後方部分（幅広部分）よりも小さい所定の幅寸法で形成されており、底板部１２から上方に向かって所定の高さ寸法で延び出している。特に本実施形態における第一竪板部１４は、単一の金属板を用いて底板部１２と一体形成されており、高剛性の金属板に対して板金プレス等の曲げ加工を施すことにより形成されている。なお、第一竪板部１４は、ピアノ１８への安定した取付けや充分な取付強度の確保のために、幅方向寸法が１０ｃｍ以上とされていることが望ましい。更に、後述する転倒防止効果を充分に得るために、第一竪板部１４の高さ方向での寸法が３０ｃｍ以上とされていることが望ましい。より望ましくは、第一竪板部１４が４０ｃｍ以上の高さ寸法とされる。また、この第一竪板部１４は、装置全体の大型化を回避すると共に取扱いを容易とするために、幅寸法を４０ｃｍとすることが望ましく、より望ましくは３０ｃｍ以下の幅寸法とされる。
【００４６】
さらに、第一竪板部１４には、複数のボルト挿通孔２０が形成されている。このボルト挿通孔２０は、左右方向が長軸とされた略長円形状を呈しており、本実施形態では、高さ方向（図１中、上下）で互いに所定距離だけ離隔して四つのボルト挿通孔２０が形成されている。そして、かかるボルト挿通孔２０に挿通せしめられる木ねじ等によって、第一竪板部１４がアップライトピアノ１８の後面に固定されるようになっている。
【００４７】
更にまた、第一竪板部１４の基端部（下端部）には、後方に向かって凸となるように曲げられて、後方に向かって突出せしめられた変形許容部２２が形成されている。本実施形態における変形許容部２２は、第一竪板部１４の基端部分が、底板部１２の後端から所定距離だけ上方に向かって突出せしめられた後、突出方向に対して略直角を為す方向に曲げられて前方に向かって延び出して、更に、略直角を為すように屈曲せしめられて上方に向かって延び出すように曲げ加工されることにより形成されている。換言すれば、本実施形態における第一竪板部１４は、突出方向中間の一部に底板部１２と略平行に広がる段差部を有しており、かかる段差部を挟んで、上側部分が下側部分よりも前方に位置せしめられている。これにより、第一竪板部１４は、全体として略クランク状断面を有する段付き板形状とされている。なお、本実施形態では、一体形成される底板部１２と第一竪板部１４との境界における湾曲部分が、第一竪板部１４の基端部である変形許容部２２に含まれている。これにより、第一竪板部１４は、底板部１２の後端から直接に又は僅かに後方に突出してから、上方に向かって延び出しており、変形許容部２２が全体として後方に向かって凸となる屈曲形状を呈している。
【００４８】
そして、第一竪板部１４の基端部において後方に突出して湾曲せしめられた変形許容部２２が形成されることにより、第一竪板部１４の板厚方向での剛性を確保して部材強度を損なうことなく、第一竪板部１４の底板部１２に対する前後方向での傾斜角度の変化を許容せしめて、第一竪板部１４における底板部１２からの立ち上がり角度を所定範囲で変化対応することが可能となっている。
【００４９】
なお、この変形許容部２２による第一竪板部１４の底板部１２からの立ち上がり角度の変化対応は、転倒防止装置１０を装着するアップライトピアノ１８に対して個別に対応して行われ得る。即ち、アップライトピアノ１８は、設計上或いは環境条件等の理由から、その脚部の接地面に対する背面の傾斜角度が数度或いはそれ以上の角度で異なっている。転倒防止装置１０の装着状態下では、底板部１２にアップライトピアノ１８の前後の両接地部が載置されることから、アップライトピアノ１８自体の大きな重量を利用して底板部１２がアップライトピアノ１８の接地部に当接せしめられる。一方、第一竪板部１４は、その複数のボルト挿通孔２０の形成部位において、アップライトピアノ１８の背面に対して強制的に締付固着される。その際、第一竪板部１４の基端部に変形許容部２２が設けられていることから、この第一竪板部１４が、ボルト挿通孔２０の形成部位で固定ねじの締付力を及ぼされることにより、強制的にアップライトピアノ１８の背面に沿うようにして固定されることとなる。
【００５０】
すなわち、単に底板部１２上にアップライトピアノ１８を載置しただけの初期状態では、アップライトピアノ１８の背面と第一竪板部１４との間には、該第一竪板部１４の突出高さが比較的に大きいが故に、上部或いは下部において比較的に大きな隙間が発生し易い。しかし、かかる載置状態から、第一竪板部１４を、ボルト挿通孔２０に挿通されてアップライトピアノ１８の背面にねじ入れられた木ねじの締め込みによって、アップライトピアノ１８の背面に固定して行くにつれて、第一竪板部１４の底板部１２に対する立ち上がり角度が、変形許容部２２における変形作用に基づいて、アップライトピアノ１８における接地面と背面との角度に対して強制的に変化調整されることとなり、その結果、全ての木ねじを締付完了して、第一竪板部１４をアップライトピアノ１８の背面に固定した装着状態下では、第一竪板部１４の平板状部分が、高さ方向の実質的に全長に亘って、アップライトピアノ１８の背面に対して密着状態とされるのである。
【００５１】
ここにおいて、特に好適には、転倒防止装置１０の装着前の単体状態下での底板部１２と第一竪板部１４の間の角度：θ１が、装着を予定するアップライトピアノ１８における接地面と背面の間の角度：θ２よりも、僅かに小さく設定される。現実的には、市販されるアップライトピアノの中で最も小さいθ２の値を基準値とし、この基準値であるθ２よりも更に小さく（例えば、０．５〜５度程度度小さく）θ１の値を設定することが望ましい。これにより、上述の如き木ねじの締付力の作用で強制的に密着させて装着せしめた状態下で、転倒防止装置１０自体において底板部１２と第一竪板部１４の間の角度の復元方向に働く弾性が、底板部１２と第一竪板部１４の間でアップライトピアノ１８を挟み込む方向に作用して、底板部１２のピアノ接地面への密着力と、第一竪板部１４のピアノ背面に対する密着力とが、一層有利に発揮され得ることとなる。
【００５２】
また、本実施形態では、第一竪板部１４の下端部に後方に向かって突出する変形許容部２２が設けられていることにより、後述する転倒防止装置１０のアップライトピアノ１８に対する装着状態下において、底板部１２が、アップライトピアノ１８の接地箇所（アップライトピアノ１８の底面の四隅付近に配設されたキャスタ）の後端よりも後方に延び出すようになっている。
【００５３】
一方、底板部１２の幅方向他方の側の後端部分には、第二竪板部１６が一体形成されている。第二竪板部１６は、底板部１２の後方部分（幅広部分）よりも小さい所定の幅寸法とされており、底板部１２の後端から略直角を為して上方に延び出すように屈曲形成されている。なお、この第二竪板部１６は、第一竪板部１４と同様、幅寸法は５０ｃｍ以下とされることが望ましく、より好適には３０ｃｍ以下とされる。特に本実施形態では、底板部１２と第二竪板部１６が単一の高剛性の金属板によって形成されており、板金プレス等によって曲げ加工を施すことにより、底板部１２と第二竪板部１６が一体形成されている。
【００５４】
また、第一竪板部１４と第二竪板部１６は、幅方向（図１中、左右）で所定距離だけ離隔して並立しており、互いに独立して形成されていると共に、第二竪板部１６の高さ寸法が第一竪板部１４の高さ寸法に比して小さく設定されており、特に本実施形態では、４分の１程度の高さ寸法で形成されている。より具体的には、この第二竪板部１６は、アップライトピアノ１８における背面の最下部で水平方向に配設された横木フレームの上端と略同じ高さ寸法とされることが望ましく、例えば、好ましくは１０ｃｍ以上、より好ましくは１５ｃｍ以上で、且つ上方の横木フレームにまでは至らないように、好ましくは３０ｃｍ以下、より好ましくは２０ｃｍ以下とされる。
【００５５】
さらに、第二竪板部１６には、複数のボルト挿通孔２４が形成されている。このボルト挿通孔２４は、上下方向が長軸とされた長円形状を呈しており、本実施形態では、幅方向（左右方向）で互いに離隔して二つのボルト挿通孔２４が形成されている。そして、かかるボルト挿通孔２４に挿通せしめられる木ねじ等によって、第二竪板部１６がアップライトピアノ１８の後面に固定されるようになっている。
【００５６】
ここにおいて、第二竪板部１６は、底板部１２に対して、第一竪板部１４のように変形許容部２２等を介することなく、直接に略直角に屈曲状態で立ち上がって形成されている。それ故、この第二竪板部１６は、底板部１２に対して、第一竪板部１４よりも大きな角度剛性をもって立ち上がっている。しかし、第二竪板部１６は、第一竪板部１４に比して、底板部１２からの立ち上がり高さが小さくされている。それ故、アップライトピアノ１８への装着状態下、アップライトピアノ１８の背面と第二竪板部１６の間に隙間が殆ど発生することなく、良好な密着状態が安定して実現され得ることとなるのである。
【００５７】
なお、本実施形態では、第一竪板部１４の変形許容部２２よりも上方に位置する部分と第二竪板部１６との前後方向での位置が揃えられており、同一平面上に位置せしめられていると共に、第一竪板部１４の基端部に形成される変形許容部２２が第二竪板部１６の基端部に比して後方に突出せしめられている。
【００５８】
なお、本実施形態では、底板部１２の前後方向寸法が幅方向で異なっており、第一竪板部１４の形成側が第二竪板部１６の形成側に比して前方に大きく突出せしめられている。これにより、後述するアップライトピアノ１８の底板部１２への載置状態下では、底板部１２において左右方向外側に位置する部分の前端がアップライトピアノ１８の前側のキャスタ（脚部）の接地箇所よりも前方に突出するようになっていると共に、左右方向内側に位置する部分の前端がアップライトピアノ１８の前側のキャスタの接地箇所よりも後方に位置するようになっている。
【００５９】
さらに、第二竪板部１６の後面（図３中、右側面）には、調整型接地機構２６が配設されている。調整型接地機構２６は、第二竪板部１６に固着される固着金具２８と接地部材としてのアジャスタ３０を含んで構成されている。
【００６０】
固着金具２８は、矩形プレート状の金属材を屈曲せしめることによって形成されて、略Ｌ字断面を有しており、互いに直交するプレート状部分を備えた構造とされている。そして、互いに直交するプレート状部分の一方が固着部３２とされて、第二竪板部１６に重ね合わされて溶接等により固着されることにより第二竪板部１６に取り付けられていると共に、他方が延出部３４とされて、第二竪板部１６から後方に向かって延び出して底板部１２と平行な方向で広がっている。
【００６１】
また、アジャスタ３０は、逆向きの椀形状を呈する接地部３６がロッド部３８に組み付けられて構成されている。更に、ロッド部３８には略全長に亘って雄ねじが刻設されてボルト状とされており、ロッド部３８の下端部を接地部３６の中央に形成される円形孔に挿通せしめてナットで固定することにより接地部３６がロッド部３８に組み付けられている一方、ロッド部３８が固着金具２８の延出部３４の略中央に形成されたボルト孔に対して下方から挿し入れられて螺着されることにより、アジャスタ３０が固着金具２８を介して第二竪板部１６の後面に組み付けられるようになっている。なお、アジャスタ３０は、ロッド部３８を軸回りで回転せしめることにより延出部３４よりも下方への突出量を調節可能とされている。
【００６２】
そして、上述の如き構造とされた転倒防止装置１０は、図８，図９に示されているように、アップライト型のピアノ１８に対して装着される。詳細には、左右対称とされた一組の転倒防止装置１０の底板部１２が床面上に敷設されると共に、かかる底板部１２上にアップライトピアノ１８の左右両端部分に設けられる四つのキャスタが載せられる。更に、各転倒防止装置１０の第一竪板部１４が、第一竪板部１４に形成されたボルト挿通孔２０に対して挿通せしめられる木ねじ等によって、アップライトピアノ１８の背面における左右両端縁部の柱状の支柱４０に固定される。更にまた、各転倒防止装置１０の第二竪板部１６は、第二竪板部１６に形成されたボルト挿通孔２４に対して挿通せしめられる木ねじ等によって、アップライトピアノ１８の背面における下端縁部の梁状の土台４２に固定される。これにより、一対の転倒防止装置１０は、アップライトタイプのピアノ１８の左右両端部に対して互いに独立して装着されている。なお、各転倒防止装置１０は、第二竪板部１６が第一竪板部１４よりもアップライトピアノ１８の左右方向中央側に位置するように配設される。また、第一竪板部１４の左右方向外側端縁部がアップライトピアノ１８の左右方向外側端縁部よりも僅かに左右方向中央側に位置せしめられていると共に、底板部１２の左右方向外側端縁部がアップライトピアノ１８の左右方向外側端縁部よりも僅かに左右方向外側にはみ出している。
【００６３】
かかる装着状態下において、底板部１２の前端縁部がアップライトピアノ１８の前側のキャスタよりも前方に突出せしめられていると共に、第一竪板部１４の基端部に形成される変形許容部２２が、アップライトピアノ１８の後面よりも後方に突出せしめられている。更に、第二竪板部１６の後面に設けられる調整型接地機構２６がアップライトピアノ１８の後面よりも後方に位置せしめられている。
【００６４】
ここにおいて、アップライトピアノ１８に対して本実施形態に従う構造とされた転倒防止装置１０を装着することにより、アップライトピアノ１８の転倒を効果的に防ぐことが可能となっている。
【００６５】
すなわち、アップライトピアノ１８は、音響等の観点からキャスタ等の脚部によって小さな接地面積で接地せしめられており、安定性を充分に確保することが困難である。そこで、本実施形態に係る転倒防止装置１０においては、竪板部１４，１６がアップライトピアノ１８に固定されるようになっていると共に、アップライトピアノ１８が床面に敷設された底板部１２に載置されるようになっている。これにより、アップライトピアノ１８の実質的な接地面積を転倒防止装置１０の底板部１２によって充分に大きく確保することが出来て、アップライトピアノ１８の安定性の向上を図ることが可能となっている。しかも、転倒防止装置１０は、音響への影響が小さい支柱４０や土台４２に対して固定されており、転倒防止装置１０の装着による接地面積の増大が、ピアノ１８の音響機能に悪影響を及ぼさないように配慮されている。
【００６６】
また、アップライトピアノ１８は、その構造上、重心が前後方向で後方に偏倚して位置せしめられていることから、地震の発生時等には、先ず、後方への転倒が問題となり易い。そこにおいて、本実施形態に従う構造とされた転倒防止装置１０では第一竪板部１４の基端部分が段差状に屈曲せしめられていることにより、転倒防止装置１０の装着状態下において、底板部１２の後端がアップライトピアノ１８の後面よりも後方に延び出している。それ故、アップライトピアノ１８の後方への転倒を引き起こすモーメントに対する抗力を、底板部１２の後端部分によって有効に得ることが出来て、アップライトピアノ１８の後方への転倒を有利に防ぐことが出来る。
【００６７】
さらに、第二竪板部１６の後面に設けられている調整型接地機構２６によってもアップライトピアノ１８の後方への転倒が防がれるようになっている。即ち、調整型接地機構２６を調節して接地部３６を床面に対して予め押し付けておくことにより、アップライトピアノ１８の後面よりも後方に配設される調整型接地機構２６によって、アップライトピアノ１８の後方への転倒モーメントに対する抗力を得ることが出来て、アップライトピアノ１８が後方に転倒するのをより有利に防ぐことが出来るようになっている。特に本実施形態では、第一竪板部１４に比して剛性を高く設定された第二竪板部１６の後面に対して調整型接地機構２６が配設されている。それ故、調整型接地機構２６の接地状態をより安定せしめることが出来て、調整型接地機構２６による転倒防止効果をより有利に得ることが出来ると共に、第二竪板部１６と変形許容部２２に囲まれた領域を巧く利用してスペース効率良く調整型接地機構２６が配設されるようになっている。
【００６８】
また、アップライトピアノ１８では、前方への転倒も問題となる。特に、家屋の壁面に面する場合が多い後方への転倒に比して、奏者側である前方への転倒は、下敷きになる等の被害が想定されることから危険性が高く、より優れた転倒防止効果が求められている。そこで、本実施形態に係る転倒防止装置１０においては、アップライトピアノ１８の前方への転倒も効果的に防止できるようになっている。
【００６９】
すなわち、本実施形態に係る転倒防止装置１０では、アップライトピアノ１８の四つのキャスタ（脚部）が何れも底板部１２上に載せられるようになっていると共に、第一竪板部１４および第二竪板部１６がアップライトピアノ１８の背面にボルト固定されるようになっている。従って、アップライトピアノ１８が底板部１２に載置された状態で転倒防止装置１０がアップライトピアノ１８に対して固定的に装着されるようになっている。更に、本実施形態では、底板部１２がアップライトピアノ１８の前端よりも前方に突出せしめられるようになっている。
【００７０】
これにより、アップライトピアノ１８に対して前方への転倒を促すモーメントが作用せしめられた場合には、転倒防止装置１０の前端部分によって該モーメントに対する抗力が補強されて、アップライトピアノ１８の前方への転倒を有効に防ぐことが可能となっているのである。
【００７１】
また、本実施形態に従う構造とされた転倒防止装置１０は、互いに独立して突出高さ寸法が異なる第一竪板部１４と第二竪板部１６を有しており、それらの竪板部１４，１６によって転倒防止装置１０がアップライトピアノ１８に対して固定されるようになっている。また、それら第一竪板部１４と第二竪板部１６は、互いに異なる剛性を有しており、変形許容部２２を備えることにより個別のピアノ形状へ対応した追従的な変形を許容される第一竪板部１４と、底板部１２から直接的に上方に向かって屈曲せしめられて、第一竪板部１４よりも高い剛性を備えた第二竪板部１６の協働によって、アップライトピアノ１８の転倒をより有利に防止することが可能とされている。特に本実施形態では、第一竪板部１４と第二竪板部１６がそれぞれ独立形成されていることにより、高さや形状が異なる第一竪板部１４と第二竪板部１６を容易に形成することが出来るようになっている。
【００７２】
さらに、第一竪板部１４がアップライトピアノ１８の幅方向両端部に位置せしめられることにより、突出高さ寸法の大きい第一竪板部１４をアップライトピアノ１８の背面において幅方向両端部を高さ方向に延びる柱状の部材（略鉛直方向に延びる支柱４０）に固定することが出来る。それ故、第一竪板部１４を高さ寸法に関らずアップライトピアノ１８に対して有利に固定することが出来る。従って、第一竪板部１４の高さ寸法を充分に大きく設定して、前後方向での転倒を生ぜしめるモーメントを安定して転倒防止装置１０に伝達せしめることが可能となっている。また、第二竪板部１６が第一竪板部１４よりも幅方向内側に位置せしめられていることにより、第一竪板部１４よりも突出高さ寸法の小さい第二竪板部１６は、アップライトピアノ１８の背面において下端部を幅方向に延びる梁状の部材（水平方向に延びる土台４２）に固定することが出来るようになっている。これにより、転倒防止装置１０の取付位置が左右方向で誤差を生じる場合にも、第二竪板部１６をアップライトピアノ１８に安定して固定することが出来る。
【００７３】
ここにおいて、第一竪板部１４の突出高さ寸法が、第二竪板部１６の突出高さ寸法に比して大きくされていることにより、第一竪板部１４とアップライトピアノ１８の背面との隙間が、第二竪板部１６とアップライトピアノ１８の背面との隙間に比して大きくなり易い。そこで、本実施形態に従う構造とされた転倒防止装置１０においては、第一竪板部１４の基端部に変形許容部２２を設けることにより、第一竪板部１４の底板部１２に対する傾斜角度を調節可能としている。そして、底板部１２と第一竪板部１４が為す角を、アップライトピアノ１８の底面と背面が為す角と略等しくなるように調節することにより、第一竪板部１４がアップライトピアノ１８の背面に対して密着せしめられるようになっており、アップライトピアノ１８の個体差（特に、底面と背面の傾斜角度の違い）に関らず、安定して所期の装着状態を実現できるようになっている。
【００７４】
また、本実施形態に係る転倒防止装置１０は、金属板をプレス加工等することによって形成されており、底板部１２がアップライトピアノ１８の設置床面に対して略密着せしめられるようになっていると共に、第一竪板部１４および第二竪板部１６がアップライトピアノ１８の後面に密着せしめられるようになっている。これにより、転倒防止装置１０は、アップライトピアノ１８への装着状態下において、金属板の厚さ方向に略直交する方向で外部から看取されるようになっており、特に図８に示されているように側面形状が主に看取されるようになっている。これにより、アップライトピアノ１８への装着状態における転倒防止装置１０の視認面積（投影面積）が小さくなっており、転倒防止装置１０の装着によって、アップライトピアノ１８の装飾性が損なわれることを回避し、更には、装飾物としての価値の向上をも図ることが出来得る。
【００７５】
さらに、底板部１２は、その長さ方向中間部分で幅寸法が変化せしめられており、アップライトピアノ１８の下端部（脚部）の底面形状と略対応する平面形状を呈している。それ故、底板部１２は、その受圧面積を十分に大きく確保しつつ、アップライトピアノ１８の載置状態での平面視において、アップライトピアノ１８の脚部を縁取るように看取されるのであって、アップライトピアノ１８の外観をより美しく見せることが出来る。要するに、本実施形態に従う構造の転倒防止装置１０では、耐震性能の向上を図りつつ、アップライトピアノ１８の室内装飾品としての美しさをより有利に発揮せしめることが可能とされているのである。
【００７６】
また、第二竪板部１６の背面に調整型接地機構２６を配設することにより、アップライトピアノ１８が直接載せられてアップライトピアノ１８の重量によって床面に押し付けられる左右方向（幅方向）外側に比して、床面からの浮き上がりが問題となり易い左右方向内側の接地状態を調整型接地機構２６によって調整することが可能となる。それ故、転倒防止装置１０を介するアップライトピアノ１８の床面への接地状態を安定させることが出来て、転倒防止効果をより有利に得ることが可能となる。
【００７７】
以上、本発明の一実施形態について説明してきたが、これはあくまでも例示であって、本発明は、かかる実施形態における具体的な記載によって、何等、限定的に解釈されるものではない。
【００７８】
例えば、前記実施形態においては、第一竪板部１４と第二竪板部１６を備えた転倒防止装置１０が示されているが、第二竪板部１６はなくても良く、図１０，１１に示されている転倒防止装置４４のように、第一竪板部１４と底板部１２で構成されていても良い。また、三つ以上の竪板部を備えていても良い。この場合には、それら複数の竪板部の形状や剛性を異ならせることにより、より有利に転倒防止効果を発揮させることが可能となり得る。
【００７９】
また、底板部１２の平面形状は、前記実施形態における具体的な記載によって何等限定されるものではない。具体的には、例えば、前後方向の中間部分で幅方向寸法が変化しない矩形形状の平面とされていても良い。これによれば、より単純な形状の底板部を採用することにより、より生産性に優れた転倒防止装置を実現することが可能となり得る。
【００８０】
また、変形許容部２２の形状は、前記実施形態において具体的に示された形状によって限定されるものではない。具体的には、例えば、円弧状断面を呈するように湾曲せしめられていても良い。
【００８１】
さらに、底板部１２の後端部は、必ずしもアップライトピアノ１８の後面よりも後方に突出せしめられていなくても良い。具体的には、例えば、アップライトピアノ１８の後面と底板部の後端が同一平面上に位置せしめられるようになっていても良く、かかる底板部の後端から後方に向かって突出するように変形許容部が形成されていても良い。
【００８２】
また、第一竪板部１４や第二竪板部１６は、何れも底板部１２の後端に設けられている必要はなく、底板部１２の前後方向中間部分に溶接等の手段によって固着されて、取り付けられていても良い。これによれば、底板部１２の後端がアップライトピアノ１８の後ろ側のキャスタ位置よりも後方に突出させられることから、後方への転倒を有効に防ぐことが可能となる。
【００８３】
また、前記実施形態に示されているように、底板部１２を床面に対して安定して設置するためには、調整型接地機構２６が設けられていることが望ましいが、調整型接地機構２６は必須ではなく、なくても良い。更に、調整型接地機構の構造は、前記実施形態の具体的な記載によって何等限定されるものではない。
【００８４】
また、前記実施形態では、底板部１２と第一，第二竪板部１４，１６が、単一の金属板によって一体形成されている例を示したが、底板部１２と第一竪板部１４，第二竪板部１６は、それぞれ別部材として形成されていても良い。なお、それら底板部１２と第一竪板部１４と第二竪板部１６が、それぞれ別体形成された部材とされている場合には、第一竪板部１４と第二竪板部１６を底板部１２に対して、例えば、溶接やボルト固定等によって固着せしめることにより、転倒防止装置を構成することが出来る。具体的には、例えば、図１２，１３に示されている転倒防止装置４６のように、第一竪板部１４および第二竪板部１６の下端縁部が前方に折り返されており、かかる折り返し部分が底板部１２に重ね合わされて溶接やボルト止めされることにより、構成することも可能である。また、その他にも、例えば、図１４，１５に示されている転倒防止装置４８のように、第一竪板部１４と第二竪板部１６の下端部が下方に向かってストレートに延び出しており、下端縁部が底板部１２の上面に突き合わされて、底板部１２に対して溶接によって固着されることにより、構成することも出来る。
【００８５】
また、前記実施形態においては、アップライトピアノ１８の両端部に対して左右一対の転倒防止装置１０を装着するようになっていたが、例えば、前記実施形態で示された一対の転倒防止装置１０が相互に連結された構造を有する転倒防止装置を採用して、一つの転倒防止装置の底板部上にアップライトピアノ１８の四つのキャスタが載せられるようになっていても良い。
【００８６】
また、アップライトピアノ１８を、底板部１２に対して固定するボルトや適当な形状の固定金具を採用することも可能である。これにより、アップライトピアノ１８の接地点を底板部１２に対して一層強固に当接状態に保持せしめて、安定性の更なる向上を図ることが可能となる。
【００８７】
更にまた、アップライトピアノ１８の底板部１２に対する接地部構造は、例示の如きキャスタ部分に限定されるものでない。具体的には、例えば、キャスタを外して底板部１２に接地したり、或いは、底板部１２においてキャスタに対応する位置に凹所や貫通孔を形成してキャスタを底板部１２内に収容状態としても良い。これにより、アップライトピアノ１８の底板部１２に対する接地面積の向上と、それに伴う密着強度の向上、安定性の向上などを図ることが可能となる。
【００８８】
また、転倒防止装置の床面への設置構造としては、床面に対して転倒防止装置を載置するだけでなく、転倒防止装置を家屋等の床面に対して固定するための固定手段等を併せて採用することも出来る。具体的には、例えば、図１６に示す転倒防止装置５０のように、底板部５２における前端縁部や第一竪板部１４側の後端部付近などに貫通孔５４を形成して、かかる貫通孔５４に挿通されるボルトや木ねじ等によって、底板部５２を床面に固定することも可能である。なお、図１６に示されている貫通孔５４の形成位置は、あくまでも例示であって、設置されるピアノや家屋の床面等の構造等に応じて適宜に設定される。また、貫通孔５４の形成数も、あくまでも例示であって、三つ以上の貫通孔５４を設けてそれぞれに挿通されるボルト等によって床面に固定することにより、転倒防止装置のより強固且つ安定した設置を実現することも可能であるし、一つの貫通孔５４に挿通されるボルト等によって簡易に位置決め固定を実現することも出来る。また、固定手段としては、必ずしもボルトや木ねじの螺着による固定でなくても良く、床面に対して予め挿込穴を形成して、係る挿込穴に対して貫通孔５４に挿通されるロッド状の部材を挿し入れることによって、床面に平行な方向での移動を阻止する位置決め固定を主眼とした構造や、釘や接着等による簡便な固定構造であっても良い。更には、挿し込みによって抜出方向でロックされる構造を挿し入れられるロッド状の部材と挿込穴に設けても良い。
【００８９】
その他、一々列挙はしないが、本発明は、当業者の知識に基づいて種々なる変更，修正，改良等を加えた態様において実施され得るものであり、また、そのような実施態様が、本発明の趣旨を逸脱しない限り、何れも、本発明の範囲内に含まれるものであることは、言うまでもない。
【図面の簡単な説明】
【００９０】
【図１】本発明の一実施形態としての転倒防止装置を示す正面図。
【図２】同転倒防止装置の背面図。
【図３】同転倒防止装置の右側面図。
【図４】同転倒防止装置の左側面図。
【図５】同転倒防止装置の平面図。
【図６】同転倒防止装置の底面図。
【図７】同転倒防止装置の図５におけるＶＩＩ−ＶＩＩ線断面図。
【図８】同転倒防止装置のアップライトピアノへの装着状態を示す右側面図。
【図９】同転倒防止装置のアップライトピアノへの装着状態を示す背面図。
【図１０】本発明の別の一実施形態としての転倒防止装置を示す正面図。
【図１１】同転倒防止装置の平面図。
【図１２】本発明のまた別の一実施形態としての転倒防止装置を示す右側面図。
【図１３】同転倒防止装置の左側面図。
【図１４】本発明の更に別の一実施形態としての転倒防止装置を示す右側面図。
【図１５】同転倒防止装置の左側面図。
【図１６】本発明の更にまた別の一実施形態としての転倒防止装置を示す平面図。
【符号の説明】
【００９１】
１０  転倒防止装置、１２  底板部、１４  第一竪板部、１６  第二竪板部、１８  アップライトピアノ、２２  変形許容部、２６  調整型接地機構、３０  アジャスタ
【図１】
2007298845.tif 000003
【図２】
2007298845.tif 000004
【図３】
2007298845.tif 000005
【図４】
2007298845.tif 000006
【図５】
2007298845.tif 000007
【図６】
2007298845.tif 000008
【図７】
2007298845.tif 000009
【図８】
2007298845.tif 000010
【図９】
2007298845.tif 000011
【図１０】
2007298845.tif 000012
【図１１】
2007298845.tif 000013
【図１２】
2007298845.tif 000014
【図１３】
2007298845.tif 000015
【図１４】
2007298845.tif 000016
【図１５】
2007298845.tif 000017
【図１６】
2007298845.tif 000018